(57)【要約】    【課題】  製造コストが低く、スペーサピンが視聴者から視認されることがなく、振動及び衝撃等の外力を受けてもスペーサピンが折れることがなく、振動により異音が生じることがない直下型バックライト及びこれを搭載した表示装置を提供する。    【解決手段】  直下型バックライトに樹脂製のスペーサピン９を設ける。スペーサピン９は半球部分９ａ及び円錐台部分９ｂにより構成する。そして、スペーサピン９を、円錐台部分９ｂの太い側の端部がシャーシの底面に連結され、半球部分９ａが拡散板側になるように配置する。半球部分９ａの先端の曲率半径Ｒを０．３乃至１ｍｍとする。また、円錐台部分９ｂの形状は円錐台形状とし、直径Ａを１．１乃至２ｍｍとし、比（Ｌ／Ｂ）を５未満とする。【選択図】  図２
2005208408.tif 000002
【特許請求の範囲】
【請求項１】
表示装置の表示パネルの後方に配置されこの表示パネルに光を供給する直下型バックライトにおいて、光源と、この光源から出射した光を拡散させる拡散板と、前記光源及び前記拡散板を支持するシャーシと、樹脂からなり前記シャーシから前記拡散板に向かって立設されたスペーサピンと、を有し、前記スペーサピンが、前記拡散板側の端部をなす半球部分と、前記シャーシ側の端部をなし前記シャーシ側の端部が前記半球部分側の端部よりも太い錐台部分と、を有し、前記半球部分の先端の曲率半径が０．３乃至１ｍｍであり、前記錐台部分における前記半球部分側の端部の太さが１．１乃至２ｍｍであり、前記錐台部分における前記シャーシ側の端部の太さをＢ、前記スペーサピンの前記拡散板側の端から前記シャーシ側の端までの長さをＬとするとき、比（Ｌ／Ｂ）が５未満であることを特徴とする直下型バックライト。
【請求項２】
前記錐台部分の形状が円錐台形状であることを特徴とする請求項１に記載の直下型バックライト。
【請求項３】
前記スペーサピンが、前記半球部分と前記錐台部分との間に、長さが４ｍｍ以下であり、太さが前記錐台部分における前記半球部分側の端部の太さと等しい柱状部分を有することを特徴とする請求項１又は２に記載の直下型バックライト。
【請求項４】
表示パネルと、この表示パネルの後方に配置されこの表示パネルに光を供給する直下型バックライトと、を有し、前記直下型バックライトが、光源と、この記光源から出射した光を拡散させる拡散板と、前記光源及び前記拡散板を支持するシャーシと、樹脂からなり前記シャーシから前記拡散板に向かって立設されたスペーサピンと、を有し、前記スペーサピンが、前記拡散板側の端部をなす半球部分と、前記シャーシ側の端部をなし前記シャーシ側の端部が前記半球部分側の端部よりも太い錐台部分と、を有し、前記半球部分の先端の曲率半径が０．３乃至１ｍｍであり、前記錐台部分における前記半球部分側の端部の太さが１．１乃至２ｍｍであり、前記錐台部分における前記シャーシ側の端部の太さをＢ、前記スペーサピンの前記拡散板側の端から前記シャーシ側の端までの長さをＬとするとき、比（Ｌ／Ｂ）が５未満であることを特徴とする表示装置。
【請求項５】
前記錐台部分の形状が円錐台形状であることを特徴とする請求項４に記載の表示装置。
【請求項６】
前記スペーサピンが、前記半球部分と前記錐台部分との間に、長さが４ｍｍ以下であり、太さが前記錐台部分における前記半球部分側の端部の太さと等しい柱状部分を有することを特徴とする請求項４又は５に記載の表示装置。
【請求項７】
前記表示パネルが液晶表示パネルであることを特徴とする請求項４乃至６のいずれか１項に記載の表示装置。
【発明の詳細な説明】
【技術分野】
【０００１】
本発明は、表示装置に設けられる直下型バックライト及びこれを搭載する表示装置に関する。
【背景技術】
【０００２】
液晶表示装置は、画像を形成する液晶パネルと、この液晶パネルに対して光を供給するバックライトとにより構成されている。バックライトには、視聴者から見て液晶パネルの後方に複数の線状光源が配置された直下型バックライトと、液晶パネルの後方に導光板が配置されており、この導光板の側方に線状光源が配置されたサイドエッジ型バックライトとがある。直下型バックライトにおいては、複数の線状光源が支持台に取り付けられており、線状光源の後方には線状光源から出射した光を液晶パネルに向かって反射する反射シートが設けられている。また、線状光源の前方、即ち、液晶パネル側には、線状光源から出射した光を拡散させて均一にする拡散板が設けられている。通常、拡散板は半透明で白色の樹脂板である。そして、支持台、反射シート及び拡散板はシャーシに固定されている。シャーシの形状は例えば箱状であり、内部に支持台、反射シート及び拡散板が収納されるようになっている。
【０００３】
更に、直下型バックライトには、シャーシの底面から拡散板に向けて立設されたスペーサピンが設けられている。スペーサピンは、拡散板が線状光源に向かう方向に撓んだときに、先端が拡散板に接触し、拡散板がそれ以上撓むことを規制するものである。比較的小型の直下型バックライトにおいては、スペーサピンは中央部に１本設けられており、比較的大型の直下型バックライトにおいては、複数本のスペーサピンが設けられている。通常、スペーサピンは、視聴者から視認されないようにするために、白色の樹脂により形成され、形状は円錐形状となっている（例えば、特許文献１乃至３参照。）。
【０００４】
【特許文献１】特開平１０−３２６５１７号公報（図１、図２）
【特許文献２】特開２００２−１１６７０４号公報（図３）
【特許文献３】特開２００２−２４４１１８号公報（図８）
【発明の開示】
【発明が解決しようとする課題】
【０００５】
しかしながら、上述の従来の技術には以下に示すような問題点がある。スペーサピンが視聴者から視認されないようにするためには、スペーサピンを可及的に細くすることが好ましい。しかしながら、スペーサピンを過度に細くすると、直下型バックライトが振動又は衝撃等の外力を受けたときに、スペーサピンが折れることがある。また、表示装置を持ち歩く場合等に直下型バックライトが振られると、スペーサピンの先端と拡散板とが擦れて、異音を生じることがある。
【０００６】
なお、スペーサピンの強度を向上させるために、金属材料から円錐形状の部材を削りだし、表面を白く塗装してスペーサピンを形成することも考えられる。しかし、この方法では、スペーサピンの製造コストが高くなってしまい、現実的ではない。また、金属製の細いスペーサピンを使用すると、根元部、即ち、シャーシとの接合部が折れやすくなると共に、拡散板と擦れたときに拡散板が削られてしまうという問題点もある。
【０００７】
本発明はかかる問題点に鑑みてなされたものであって、製造コストが低く、スペーサピンが視聴者から視認されることがなく、振動及び衝撃等の外力を受けてもスペーサピンが折れることがなく、振動により異音が生じることがない直下型バックライト及びこれを搭載した表示装置を提供することを目的とする。
【課題を解決するための手段】
【０００８】
本発明に係る直下型バックライトは、表示装置の表示パネルの後方に配置されこの表示パネルに光を供給する直下型バックライトである。そして、光源と、この光源から出射した光を拡散させる拡散板と、前記光源及び前記拡散板を支持するシャーシと、樹脂からなり前記シャーシから前記拡散板に向かって立設されたスペーサピンと、を有し、前記スペーサピンが、前記拡散板側の端部をなす半球部分と、前記シャーシ側の端部をなし前記シャーシ側の端部が前記半球部分側の端部よりも太い錐台部分と、を有し、前記半球部分の先端の曲率半径が０．３乃至１ｍｍであり、前記錐台部分における前記半球部分側の端部の太さが１．１乃至２ｍｍであり、前記錐台部分における前記シャーシ側の端部の太さをＢ、前記スペーサピンの前記拡散板側の端から前記シャーシ側の端までの長さをＬとするとき、比（Ｌ／Ｂ）が５未満であることを特徴とする。
【０００９】
本発明においては、スペーサピンが樹脂により形成されているため、製造コストが低い。また、拡散板側の先端の曲率半径が０．３乃至１ｍｍであるため、拡散板と曲面で接触し、拡散板と擦れても異音が生じない。更に、錐台部分における半球部分側の端部の太さが１．１ｍｍ以上であり、比（Ｌ／Ｂ）が５未満であるため、振動及び衝撃等の外力を受けても、スペーサピンが折れにくい。更にまた、錐台部分における半球部分側の端部の太さが２ｍｍ以下であるため、視聴者から視認されることがない。なお、半球部分の形状は、厳密に数学的な半球、即ち、球を正確に２等分した形状には限定されず、先端の曲率半径が上記範囲にあればよい。
【００１０】
また、前記スペーサピンが、前記半球部分と前記錐台部分との間に、長さが４ｍｍ以下であり、太さが前記錐台部分における前記半球部分側の端部の太さと等しい柱状部分を有していてもよい。これにより、スペーサピンにおける拡散板側の部分をより細くすることができ、スペーサピンが視聴者から視認されることを、より確実に防止することができる。
【００１１】
本発明に係る表示装置は、表示パネルと、この表示パネルの後方に配置されこの表示パネルに光を供給する直下型バックライトと、を有し、前記直下型バックライトが、光源と、この記光源から出射した光を拡散させる拡散板と、前記光源及び前記拡散板を支持するシャーシと、樹脂からなり前記シャーシから前記拡散板に向かって立設されたスペーサピンと、を有し、前記スペーサピンが、前記拡散板側の端部をなす半球部分と、前記シャーシ側の端部をなし前記シャーシ側の端部が前記半球部分側の端部よりも太い錐台部分と、を有し、前記半球部分の先端の曲率半径が０．３乃至１ｍｍであり、前記錐台部分における前記半球部分側の端部の太さが１．１乃至２ｍｍであり、前記錐台部分における前記シャーシ側の端部の太さをＢ、前記スペーサピンの前記拡散板側の端から前記シャーシ側の端までの長さをＬとするとき、比（Ｌ／Ｂ）が５未満であることを特徴とする。また、前記表示パネルは液晶表示パネルであってもよい。
【発明の効果】
【００１２】
本発明によれば、スペーサピンの形状を上述の如く規定することにより、直下型バックライトが振動及び衝撃等の外力を受けてもスペーサピンが折れにくく、直下型バックライトが振られても異音が生じにくく、スペーサピンが視聴者から視認されることがない直下型バックライトを、低いコストで得ることができる。
【発明を実施するための最良の形態】
【００１３】
以下、本発明の実施形態について添付の図面を参照して具体的に説明する。先ず、本発明の第１の実施形態について説明する。図１は本実施形態に係る液晶表示装置を示す断面図であり、図２は本実施形態におけるスペーサピンを示す正面図及び側面図である。図１に示すように、本実施形態に係る液晶表示装置１においては、液晶パネル２が設けられており、この液晶パネル２の後方に直下型バックライト３が設けられている。液晶パネル２は外部から画像信号が入力されて画像を形成するものであり、直下型バックライト３は液晶パネル２に対して光を供給するものである。
【００１４】
直下型バックライト３においては、例えば金属又は合金からなるシャーシ４が設けられている。シャーシ４の形状は、底板４ａ及び側板４ｂからなる箱状の形状である。シャーシ４の内部における相互に対向する１対の端縁部には、１対の支持台５が配置されており、シャーシ４に固定されている。そして、この１対の支持台５により、複数本の冷陰極管６が支持されている。即ち、棒状の冷陰極管６の両端部が支持台５により支持されている。また、シャーシ４の底板４ａと冷陰極管６との間には、反射シート７がシャーシ４に固定されて配置されている。反射シート７は、冷陰極管６から出射された光を前方、即ち液晶パネル２に向けて反射するものである。更に、シャーシ４の内部における冷陰極管６よりも前方の位置には、拡散板８が設けられている。拡散板８は例えば白色で半透明の樹脂板であり、冷陰極管６から出射した光及び冷陰極管６から出射して反射シート７により反射された光を拡散させるものである。また、拡散板８における冷陰極管６の直上域に相当する領域は、印刷により他の領域よりも少し黒くなっている。このように、冷陰極管６、支持台５、反射シート７及び拡散板８は、シャーシ４により支持されている。なお、拡散板８と液晶パネル２との間に、光学シート（図示せず）が設けられていてもよい。
【００１５】
また、反射シート７の中央部には１つの開口部７ａが形成されており、この開口部７ａを挿通するように、１本のスペーサピン９が設けられている。スペーサピン９はシャーシ４の底板４ａの中央部に連結されており、拡散板８に向かって立設されている。スペーサピン９は白色に着色された樹脂、例えば、ポリカーボネイト又はＡＢＳ樹脂（Acrylonitrile-Butadiene-Styrene copolymer樹脂：アクリロニトリル・ブタジエン・スチレン共重合体樹脂）により形成されている。スペーサピン９と拡散板８との間には僅かな隙間が設けられており、拡散板８が平坦であるときには拡散板８はスペーサピン９に接触せず、拡散板８が少し撓んだときにスペーサピン９に当接するようになっている。
【００１６】
図２に示すように、スペーサピン９は、半球部分９ａ及び円錐台部分９ｂにより構成されている。なお、半球部分９ａ及び円錐台部分９ｂは一体的に成形されている。そして、半球部分９ａはスペーサピン９の拡散板８側の端部をなし、円錐台部分９ｂはスペーサピン９のシャーシ４側の端部をなし、円錐台部分９ｂのシャーシ側の端部は半球部分９ａ側の端部よりも太くなっている。即ち、スペーサピン９は、円錐台部分９ｂの太い側の端部がシャーシ４の底面４ａ（図１参照）に連結され、半球部分９ａが拡散板８（図１参照）側になるように配置されている。半球部分９ａの形状は、例えば球体の一部を１平面により切り取った形状であり、例えば半球であり、先端の曲率半径Ｒは０．３乃至１ｍｍである。なお、半球部分９ａの形状は、必ずしも球体の一部である必要はなく、先端の曲率半径Ｒが０．３乃至１ｍｍであればよい。
【００１７】
また、円錐台部分９ｂの形状は円錐台形状であり、半球部分９ａに接する側の端部の直径Ａが、シャーシ４の底面４ａに接する側の端部の直径Ｂよりも小さくなっている。直径Ａは１．１乃至２ｍｍである。また、スペーサピン９全体の長さをＬとすると、比（Ｌ／Ｂ）は５未満である。例えば、半球部分９ａの曲率半径は０．３ｍｍであり、円柱台部分９ｂの直径Ａは１．８ｍｍであり、直径Ｂは３．８ｍｍであり、スペーサピン９の長さＬは１４ｍｍであり、従って、比（Ｌ／Ｂ）の値は約３．７である。以下、本発明の各構成要件における数値限定理由について説明する。
【００１８】
半球部分の先端の曲率半径：０．３乃至１ｍｍ
スペーサピンの先端部に半球部分を設けず、スペーサピンの先端を平坦にすると、スペーサピンが拡散板と擦れたときに異音が発生する。また、半球部分を設けても、半球部分の先端の曲率半径が０．３ｍｍ未満又は１ｍｍより大きいと、この先端が拡散板と擦れたときに異音が発生する。このため、半球部分の先端の曲率半径は０．３乃至１ｍｍであることが必要である。
【００１９】
錐台部分における半球部分側の端部の太さ：１．１乃至２ｍｍ
錐台部分における半球部分側の端部の太さが１．１ｍｍ未満であると、スペーサピンが脆弱になり、直下型バックライトに振動及び衝撃等の外力が印加されたときに、スペーサピンが折れやすい。また、錐台部分における半球部分側の端部の太さが１．１ｍｍ未満であると、スペーサピンがぶれてしまい、異音が発生する。一方、前記太さが２ｍｍより大きいと、表示装置を観察する視聴者にスペーサピンが視認されてしまい、画像の表示品質が低下する。従って、錐台部分における半球部分側の端部の太さは１．１乃至２ｍｍとする。なお、錐台部分の形状が円錐台形である場合は、錐台部分の太さとは直径である。
【００２０】
比（Ｌ／Ｂ）：５未満
比（Ｌ／Ｂ）が５以上であると、スペーサピンが細長くなりすぎて脆弱になり、直下型バックライトに振動及び衝撃等の外力が印加されたときに、スペーサピンが折れやすくなる。また、スペーサピン自体の剛性が低下し、直下型バックライトが振られたときにスペーサピンがぶれてしまい、異音が発生する。従って、比（Ｌ／Ｂ）は５未満とする。
【００２１】
次に、上述の如く構成された本実施形態に係る液晶表示装置の動作について説明する。冷陰極管６に電力が投入されると、冷陰極管６が発光する。そして、冷陰極管６から出射した光は、直接、又は反射シート７により反射されて、拡散板８に入射する。そして、この光が、拡散板８により拡散されて均一化され、液晶パネル２に入射する。このとき、液晶パネル２は外部から入力された画像信号に基づいて画像を形成する。これにより、拡散板８から液晶パネル２に入射した光が液晶パネル２を透過し、この光に画像が付加される。
【００２２】
拡散板８は、自重等により変形し、撓むことがある。拡散板８が冷陰極管６側に撓むと、スペーサピン９の先端が拡散板８に接触し、拡散板８がそれ以上撓むことを防止する。そして、スペーサピン９の先端が拡散板８に接触した状態で、直下型バックライト３に振動又は衝撃等の外力が印加されると、この外力がシャーシ４及び拡散板８を介してスペーサピン９の両端部に伝わり、スペーサピン９に機械的付加が印加される。なお、スペーサピン９が設けられていないと、拡散板８が大きく撓み、拡散板８における周囲よりも黒く印刷された領域が冷陰極管６の直上域からずれてしまい、表示ムラが発生する。
【００２３】
本実施形態においては、スペーサピン９の形状が上述のような形状であるため、直下型バックライト３に振動及び衝撃等の外力が印加されても、スペーサピン９が折れたり、拡散板８と擦れて異音が生じたりすることがない。即ち、耐破損性及び静音性が優れている。また、液晶パネル２及び拡散板８を通して視聴者に視認されることがない。即ち、隠蔽性が優れている。更に、スペーサピン９が樹脂により形成されているため、コストが低く、拡散板８と擦れたときに拡散板８を削ることがない。
【００２４】
次に、本発明の第２の実施形態について説明する。図３は本実施形態におけるスペーサピンを示す正面図及び側面図である。図３に示すように、本実施形態においては、前述の第１の実施形態と比較して、スペーサピン９の替わりにスペーサピン１０が設けられている。本実施形態に係る上記以外の構成は、前述の第１の実施形態と同様である。
【００２５】
図３に示すように、スペーサピン１０においては、シャーシ４の底面４ａ（図１参照）側から順に、円錐台部分１０ｂ、円柱部分１０ｃ及び半球部分１０ａが設けられている。円錐台部分１０ｂ、円柱部分１０ｃ及び半球部分１０ａは、ポリカーボネイト又はＡＢＳ樹脂等の白色に着色された樹脂により一体的に形成されている。そして、スペーサピン１０は、円錐台部分１０ｂにおける太い側の端部がシャーシ４の底面４ａに連結され、半球部分１０ａが拡散板８（図１参照）側になるように配置されている。半球部分１０ａ及び円錐台部分１０ｂの形状は、夫々前述の第１の実施形態における半球部分９ａ及び円錐台部分９ｂ（図２参照）の形状と同じである。
【００２６】
円柱部分１０ｃの形状は、例えば円柱形であり、その直径（太さ）は円錐台部分１０ａにおける円柱部分１０ｃ側の直径Ａと等しく、その長さＬ１は４ｍｍ以下である。本実施形態において、例えば、半球部分１０ａの曲率半径Ｒは０．３ｍｍであり、円柱台部分１０ｂの直径Ａは１．２ｍｍであり、直径Ｂは８ｍｍであり、円柱部分１０ｃの長さＬ１は３．５ｍｍであり、スペーサピン１０全体の長さＬは１１ｍｍであり、従って、比（Ｌ／Ｂ）の値は約１．４である。以下、本発明の構成要件における数値限定理由について説明する。
【００２７】
柱状部分の長さ：４ｍｍ以下
柱状部分の長さが４ｍｍより大きいと、スペーサピンが細長くなりすぎて脆弱になり、直下型バックライトに振動及び衝撃等の外力が印加されたときに、スペーサピンが折れやすくなる。従って、柱状部分の長さは４ｍｍ以下とする。
【００２８】
本実施形態においては、半球部分１０ａと円錐台部分１０ｂとの間に円柱部分１０ｃを設けているため、前述の第１の実施形態と比較して、スペーサピン１０における拡散板８側の部分をより細くすることができ、スペーサピン１０が視聴者から視認されることを、より確実に防止することができる。本実施形態における上記以外の動作及び効果は、前述の第１の実施形態と同様である。
【００２９】
なお、前述の第１及び第２の実施形態においては、直下型バックライトにスペーサピンを１本だけ設ける例を示したが、本発明はこれに限定されず、表示装置の画面の面積に応じて、２本以上のスペーサピンを設けてもよい。また、前述の第１及び第２の実施形態においては、錐台部分の形状を円錐台形状とし、柱状部分の形状を円柱形状としたが、錐台部分の形状を角錐台形状とし、柱状部分の形状を角柱形状としてもよい。更に、本発明の表示装置は液晶表示装置に限定されず、直下型バックライトを備えた表示装置であれば、どのような表示装置であってもよい。
【実施例】
【００３０】
以下、本発明の実施例の効果について、その特許請求の範囲から外れる比較例と比較して具体的に説明する。先ず、引張降伏応力が６０ＭＰａであり、弾性率が２６００ＭＰａであり、白色に着色されたポリカーボネイト樹脂を成型し、図２に示すような半球部分及び円錐台部分からなるスペーサピンを４個作製すると共に、図３に示すような半球部分、円柱部分及び円錐台部分からなるスペーサピンを３個作製した。このとき、スペーサピンの各部の寸法を相互に異ならせた。
【００３１】
そして、これらのスペーサピンを夫々前述の第１の実施形態に示す直下型バックライトに組み込み、液晶表示装置を組み立てて、スペーサピンが視認される可能性を示す隠蔽性、直下型バックライトに外力を印加したときにスペーサピンが折れる可能性を示す耐破損性、及び直下型バックライトに振動を印加したときにスペーサピンと拡散板とが擦れて異音が発生する可能性を示す静音性を評価した。
【００３２】
隠蔽性の評価は、液晶表示装置の画面の輝度を測定して行った。スペーサピンが配置された領域の輝度がその周辺の輝度と比較して２％以上低かった場合は、表示ムラが発生したと判断し、評価を「不良（ＮＧ）」とした。一方、前述の輝度低下率が２％未満であった場合は、評価を「良好（ＯＫ）」とした。また、耐破損性の評価は、液晶表示装置に対して輸送を想定した振動試験及び衝撃試験を実施して行った。振動試験及び衝撃試験の結果、スペーサピンの破損又は拡散板の傷付きが発生した場合は評価を「不良（ＮＧ）」とし、スペーサピンの破損及び拡散板の傷付きが発生しなかった場合は評価を「良好（ＯＫ）」とした。更に、静音性の評価は、液晶表示装置を手で持ちながら上下左右に軽く振り、異音の発生の有無を調査して行った。異音が発生した場合は評価を「不良（ＮＧ）」とし、発生しなかった場合は評価を「良好（ＯＫ）」とした。
【００３３】
スペーサピンの形状及び上述の各特性の評価結果を表１に示す。なお、表１において、「種類」とはスペーサピンに円柱部分が設けられているか否かを示し、「種類」が「１」のスペーサピンは、前述の第１の実施形態において説明した半球部分及び円錐台部分からなるスペーサピン（図２参照）を示し、「種類」が「２」のスペーサピンは、前述の第２の実施形態において説明した半球部分、円柱部分及び円錐台部分からなるスペーサピン（図３参照）を示す。また、「曲率半径Ｒ」は半球部分の先端の曲率半径を示し、「直径Ａ」は円錐台部分における半球部分側の端部の直径を示し、「直径Ｂ」は円錐台部分におけるシャーシ側の端部の直径を示し、「長さＬ」はスペーサピン全体の長さを示し、「長さＬ１」は円柱部分の長さを示す。更に、「ＯＫ」は評価結果が良好であったことを示し、「ＮＧ」は不良であったことを示す。
【００３４】
【表１】
2005208408.tif 000003
【００３５】
表１に示す実施例Ｎｏ．１、Ｎｏ．３、Ｎｏ．４、Ｎｏ．６は、スペーサピンの形状が本発明の範囲を満たしているため、隠蔽性、耐破損性及び静音性が全て優れていた。これに対して、比較例Ｎｏ．２は、曲率半径Ｒが０．３０ｍｍ未満であり、直径Ａが１．１ｍｍ未満であり、比（Ｌ／Ｂ）の値が５より大きかったため、振動を受けたときに異音が発生し、静音性が劣っていた。また、比較例Ｎｏ．５は、曲率半径Ｒが０．３０ｍｍ未満であり、直径Ａが１．１ｍｍ未満であったため、直下型バックライトに外力を印加したときにスペーサピンが折れてしまい、耐破損性が劣っていた。更に、比較例Ｎｏ．７は、直径Ａが２ｍｍより大きかったため、スペーサピンが視認されてしまい、隠蔽性が劣っていた。
【図面の簡単な説明】
【００３６】
【図１】本発明の第１の実施形態に係る液晶表示装置を示す断面図である。
【図２】本実施形態におけるスペーサピンを示す正面図及び側面図である。
【図３】本発明の第２の実施形態におけるスペーサピンを示す正面図及び側面図である。
【符号の説明】
【００３７】
１；液晶表示装置
２；液晶パネル
３；直下型バックライト
４；シャーシ
４ａ；底板
４ｂ；側板
５；支持台
６；冷陰極管
７；反射シート
７ａ；開口部
８；拡散板
９、１０；スペーサピン
９ａ、１０ａ；半球部分
９ｂ、１０ｂ；円錐台部分
１０ｃ；円柱部分
【図１】
2005208408.tif 000004
【図２】
2005208408.tif 000005
【図３】
2005208408.tif 000006
【手続補正書】
【提出日】平成17年1月27日(2005.1.27)
【手続補正１】
【補正対象書類名】明細書
【補正対象項目名】００１７
【補正方法】変更
【補正の内容】
【００１７】
また、円錐台部分９ｂの形状は円錐台形状であり、半球部分９ａに接する側の端部の直径Ａが、シャーシ４の底面４ａに接する側の端部の直径Ｂよりも小さくなっている。直径Ａは１．１乃至２ｍｍである。また、スペーサピン９全体の長さをＬとすると、比（Ｌ／Ｂ）は５未満である。例えば、半球部分９ａの曲率半径は０．３ｍｍであり、円錐台部分９ｂの直径Ａは１．８ｍｍであり、直径Ｂは３．８ｍｍであり、スペーサピン９の長さＬは１４ｍｍであり、従って、比（Ｌ／Ｂ）の値は約３．７である。以下、本発明の各構成要件における数値限定理由について説明する。
【手続補正２】
【補正対象書類名】明細書
【補正対象項目名】００２２
【補正方法】変更
【補正の内容】
【００２２】
拡散板８は、自重等により変形し、撓むことがある。拡散板８が冷陰極管６側に撓むと、スペーサピン９の先端が拡散板８に接触し、拡散板８がそれ以上撓むことを防止する。そして、スペーサピン９の先端が拡散板８に接触した状態で、直下型バックライト３に振動又は衝撃等の外力が印加されると、この外力がシャーシ４及び拡散板８を介してスペーサピン９の両端部に伝わり、スペーサピン９に機械的負荷が印加される。なお、スペーサピン９が設けられていないと、拡散板８が大きく撓み、拡散板８における周囲よりも黒く印刷された領域が冷陰極管６の直上域からずれてしまい、表示ムラが発生する。
【手続補正３】
【補正対象書類名】明細書
【補正対象項目名】００２６
【補正方法】変更
【補正の内容】
【００２６】
円柱部分１０ｃの形状は、例えば円柱形であり、その直径（太さ）は円錐台部分１０ｂにおける円柱部分１０ｃ側の直径Ａと等しく、その長さＬ１は４ｍｍ以下である。本実施形態において、例えば、半球部分１０ａの曲率半径Ｒは０．３ｍｍであり、円柱台部分１０ｂの直径Ａは１．２ｍｍであり、直径Ｂは８ｍｍであり、円柱部分１０ｃの長さＬ１は３．５ｍｍであり、スペーサピン１０全体の長さＬは１１ｍｍであり、従って、比（Ｌ／Ｂ）の値は約１．４である。以下、本発明の構成要件における数値限定理由について説明する。
【手続補正４】
【補正対象書類名】明細書
【補正対象項目名】００３４
【補正方法】変更
【補正の内容】
【００３４】
【表１】
2005208408.tif 000007